(57)【要約】【課題】複数の異なる繊維生地を明確な境目なく一体化させた繊維製品およびその製造方法を提供する。【解決手段】ニット生地の一部をニードルパンチによりフェルト化し、フェルト化した領域を織物生地上に配置して、ニードルパンチによりニット生地および織物生地の繊維を交絡させ、ニット生地と織物生地とを一体化させる。ニット生地と織物生地との境界部は、ニット生地および織物生地の繊維を交絡させた際に得られる混合繊維を載置してニードルパンチを施すことによりぼかされる。よって、ニット生地から織物生地にグラデーション状に変化する外観を呈する繊維製品を製造できる。織物生地の代わりに不織布または編物生地と同色の起毛を有する皮革を用いることも可能である。皮革の場合には、ニット生地のフェルト化領域を皮革の起毛表面状に積層してニードルパンチを行い、ニット生地の繊維と起毛とを交絡させる。混合繊維を載置してニードルパンチを施す工程は行わない。【選択図】  図８
2008156759.tif 000002
【特許請求の範囲】
【請求項１】
第１の生地と第２の生地とをニードルパンチにより一体化させた繊維製品であって、
前記第１の生地のみからなる第１領域と、前記第１の生地をニードルパンチによりフェルト化した第２領域と、前記第２の生地の繊維と前記第２の生地上に積層された前記第２領域の繊維とをニードルパンチにより交絡させて前記第１の生地と前記第２の生地とを一体化させた第３領域と、前記第２の生地のみからなる第４領域とを備え、
前記第３領域において前記ニードルパンチにより生じた前記第１および第２の生地の混合繊維を前記第３領域と前記第４領域との境界部に載置してニードルパンチを施し、前記境界部をぼかしたことを特徴とする繊維製品。
【請求項２】
請求項１に記載の繊維製品において、
前記第１の生地は編物であり、前記第２の生地は織物または不織布であることを特徴とする繊維製品。
【請求項３】
第１の生地と第２の生地とをニードルパンチにより一体化させた繊維製品であって、
前記第１の生地は編物であり、前記第２の生地は前記第１の生地と同色で起毛を有する皮革であり、
前記第１の生地のみからなる第１領域と、前記第１の生地をニードルパンチによりフェルト化した第２領域と、前記第２の生地の起毛と前記第２の生地の起毛表面上に積層された前記第２領域の繊維とをニードルパンチにより交絡させて前記第１の生地と前記第２の生地とを一体化させた第３領域と、前記第２の生地のみからなる第４領域と、を備えることを特徴とする繊維製品。
【請求項４】
第１の生地と第２の生地とをニードルパンチにより一体化させた繊維製品の製造方法であって、
前記第１の生地の所定の領域をニードルパンチによりフェルト化する段階と、
前記第１の生地のフェルト化された領域を前記第２の生地上に積層させてニードルパンチを施し、前記第１および第２の生地の繊維を交絡させる段階と、
前記交絡させる段階において生じた前記第１および第２の生地の混合繊維を前記交絡させた領域と前記第２の生地との境界部に載置してニードルパンチを施し、前記境界部をぼかす段階と、
を備えることを特徴とする繊維製品の製造方法。
【請求項５】
請求項４に記載の繊維製品の製造方法において、
前記第１の生地は編物であり、前記第２の生地は織物または不織布であることを特徴とする繊維製品の製造方法。
【請求項６】
第１の生地と第２の生地とをニードルパンチにより一体化させた繊維製品の製造方法であって、
前記第１の生地は編物であり、前記第２の生地は前記第１の生地と同色で起毛を有する皮革であり、
前記第１の生地の所定の領域をニードルパンチによりフェルト化する段階と、
前記第１の生地のフェルト化された領域を前記第２の生地の起毛表面上に積層させてニードルパンチを施し、前記第１の生地の繊維と前記第２の生地の起毛とを交絡させる段階と、
を備えることを特徴とする繊維製品の製造方法。
【発明の詳細な説明】
【技術分野】
【０００１】
本発明は複数の異なる繊維生地を一体化させてなる繊維製品およびその製造方法に係り、より詳細には、ニット素材と布帛等とを接着剤を用いずに一体化させ、且つその境界がグラデーション状となって目立たないようにした繊維製品およびその製造方法に関する。
【背景技術】
【０００２】
従来、不織布を長期間使用すると毛立ちやピリングが発生することが知られており、この問題を解決するために不織布とニット生地とを貼り合せることが行われている。その際、接着剤を用いると通気性が低下したり、はみ出た接着剤により美感が損なわれることから、例えば図９に示すようなフェルティングニードルを用いて不織布とニット生地とを繰り返し貫通させ、繊維を交絡させ一体化させるニードルパンチという技術が用いられる。特許文献１に記載の不織布付き布地の製造方法や特許文献２に記載のニット付き不織布は、いずれもこうした技術の一例を示すものである。
【０００３】
ところで、このように複数の種類の異なる繊維生地をニードルパンチで一体化させる技術は、布地の機能向上のみならず、ファッション性を高めることを目的として適用することも可能である。その例として、特許文献３の無縫製の衣類等の製造方法に見られるように、縮絨繊維シートを重ねて配置し、その重ねた部分をニードルパンチ等によって交絡一体化することが行われている。
【特許文献１】特開２００２−５４０６７号公報
【特許文献２】実用新案登録第３０６７４２０号公報
【特許文献３】特開２００６−１３２０５３号公報
【発明の開示】
【発明が解決しようとする課題】
【０００４】
特許文献３に記載の発明は、ニードルパンチ等による交絡一体化によって、縫製工程のない方法で衣服を作製することを可能にしている。すなわち、特許文献３に記載の衣類等の製造方法によれば、無縫製という特徴的で高いデザイン性を備えた衣服を作製することができる。
【０００５】
一方、衣服のデザインとしては、例えば部分ごとに異なる模様や素材の繊維生地を用いて作製することにより、その質感の違いを楽しむようにしたものがある。ここで、切替え部分を縫い合わせた場合には異素材間の境界が明確になるが、特許文献１乃至３に記載されているようなニードルパンチを施して異なる種類の繊維製品を一体化させた場合には、縫い合わせた場合に比べて境目がぼかされ、異なった趣とすることができる。
【０００６】
しかしながら、ニードルパンチによる一体化を行った場合、前述のように重ねた複数の布地の繊維を交絡させるので、処理後の表面は繊維が不均一に出現した状態となる。そのため、衣服全体としてのデザイン性を高めることができたとしても、ニードルパンチを施した部分が外観上美しくない。
こうした点に鑑み、本発明は、複数の異なる繊維生地を明確な境目なく一体化させた繊維製品およびその製造方法を提供することを目的とする。
【課題を解決するための手段】
【０００７】
前述の目的を達するため本発明が提供するのは、第１の生地と第２の生地とをニードルパンチにより一体化させた繊維製品である。この繊維製品は、第１の生地のみからなる第１領域と、第１の生地をニードルパンチによりフェルト化した第２領域と、第２の生地の繊維と第２の生地上に積層された第２領域の繊維とをニードルパンチにより交絡させて第１の生地と第２の生地とを一体化させた第３領域と、第２の生地のみからなる第４領域とを備え、第３領域においてニードルパンチにより生じた第１および第２の生地の混合繊維を第３領域と前記第４領域との境界部に載置してニードルパンチを施し、境界部をぼかしたことを特徴とする。
この繊維製品において、第１の生地は編物であり、第２の生地は織物または不織布である。
【０００８】
また、本発明が提供するのは、第１の生地と第２の生地とをニードルパンチにより一体化させた繊維製品であって、第１の生地は編物であり、第２の生地は第１の生地と同色で起毛を有する皮革であり、第１の生地のみからなる第１領域と、第１の生地をニードルパンチによりフェルト化した第２領域と、第２の生地の起毛と第２の生地の起毛表面状に積層された第２領域の繊維とをニードルパンチにより交絡させて第１の生地と第２の生地とを一体化させた第３領域と、第２の生地のみからなる第４領域とを備えることを特徴とする。
【０００９】
本発明がさらに提供するのは、第１の生地と第２の生地とをニードルパンチにより一体化させた繊維製品の製造方法であって、第１の生地の所定の領域をニードルパンチによりフェルト化する段階と、第１の生地のフェルト化された領域を第２の生地上に積層させてニードルパンチを施し、第１および第２の生地の繊維を交絡させる段階と、交絡させる段階において生じた第１および第２の生地の混合繊維を交絡させた領域と第２の生地との境界部に載置してニードルパンチを施し、境界部をぼかす段階と、を備えることを特徴とする。
この繊維製品の製造方法において、第１の生地は編物であり、第２の生地は織物または不織布である。
【００１０】
また、本発明が提供するのは、第１の生地と第２の生地とをニードルパンチにより一体化させた繊維製品の製造方法であって、第１の生地は編物であり、第２の生地は第１の生地と同色で起毛を有する皮革であり、第１の生地の所定の領域をニードルパンチによりフェルト化する段階と、第１の生地のフェルト化された領域を第２の生地の起毛表面状に積層させてニードルパンチを施し、第１の生地の繊維と第２の生地の起毛とを交絡させる段階と、を備えることを特徴とする。
【発明の効果】
【００１１】
本発明によれば、異なる繊維生地を一体化させる場合において、一方の生地から他方の生地への切替えを、境界をぼかしつつ段階的に変化するように実現することができる。したがって、従来の縫合や接着剤により接着した繊維製品に比べ、衣服等の作製に適した高級感ならびに高いファッション性を備えた繊維製品を提供することができる。
【発明を実施するための最良の形態】
【００１２】
以下、図面を参照して本発明の好適な実施例を説明する。なお、図１〜図８において、（Ａ）はいずれも正面図を、（Ｂ）は（Ａ）の破線Ｘにおける断面図を示している。
図１（Ａ）に示すのは、本発明の後の段階において織物生地と一体化させるニット生地１０ａである。このニット生地１０ａにおいて、図１（Ｂ）に示すように、表面に突起を備えたフェルティングニードル４０によりニードルパンチを施して繊維を交絡させ、ニット生地１０ａの一部をフェルト化する。
【００１３】
フェルティングニードル４０による貫通を繰り返されたニット生地１０ａは、やがてフェルト化し、図２（Ａ）および（Ｂ）に示すようにニット領域１０１とフェルト領域１０２とを備えるようになる。このとき、フェルト領域１０２の表面にはニット生地１０ａから引き出された繊維が堆積しているので、その余分な繊維５０を取り除く。そして、図３（Ａ）および（Ｂ）に示すように、フェルト領域１０２がニット領域１０１側から端部に向かって段階的に薄くなるよう、フェルト領域１０２を整える。
【００１４】
続いて、ニット生地１０ａと同様のニット生地１０ｂと、織物生地２０ｂとを用意する。ここで、織物生地２０ｂはシルク、ウール、コットン等の素材からなる織物であるが、織物生地のほかにも不織布やスエード等の起毛を有する皮革を用いることが可能である。
【００１５】
織物生地２０ｂの上にニット生地１０ｂを重ねたら、フェルティングニードル４０を用いてニット生地１０ｂおよび織物生地２０ｂを重ねた状態のままニードルパンチを施し、ニット生地１０ｂおよび織物生地２０ｂの繊維を交絡させる。貫通を繰り返されたニット生地１０ｂおよび織物生地２０ｂは、やがて図５（Ａ）および（Ｂ）に示すようにフェルト部３０を備えるようになる。このフェルト部３０には、ニット生地１０ｂと織物生地２０ｂとの繊維が混合された繊維が堆積しているので、余分な繊維６０を採取する。
【００１６】
次に、先にニードルパンチにより一部をフェルト領域１０２としたニット生地１０ａを、織物生地２０ｂと同様の織物生地２０ａの上に載置する。そして、ニット生地１０ａおよび織物生地２０ａを重ねた状態のまま、再びフェルティングニードル４０を用いてニット生地１０ａのフェルト領域１０２でニードルパンチを行い、ニット生地１０ａのフェルト領域１０２と織物生地２０ｂの繊維を交絡させる。十分に繊維が交絡すると、ニット生地１０ａと織物生地２０ａとは一体化され、もはや容易には分離できなくなる。
【００１７】
このとき、フェルト領域１０２と織物生地２０ａとの境目は、ニット生地１０ａと織物生地２０ａとを縫い合わせた場合に比べれば曖昧であるが、それでもニット生地１０ａと織物生地２０ａとの境界が認識できる程度に明確である。そこで、この境界部分に、先にニット生地１０ｂと織物生地２０ｂとのニードルパンチ後に採取した繊維６０を載置し、その上からフェルティングニードル４０によるニードルパンチを再び行う。
【００１８】
繊維６０はニット生地１０ａと同様のニット生地１０ｂと、織物生地２０ａと同様の織物生地２０ｂとの混合繊維であるから、両者の中間色を有する。したがって、この繊維６０によってニット生地１０ａと織物生地２０ａとの境目が境界領域１０３においてぼかされ、ニット領域１０１、フェルト領域１０２、境界領域１０３、織物領域１０４の順に段階的に、ニット生地１０ａがまるで織物生地２０ａに溶け込むかのように、両者を外観上まったく自然に一体化させることができる。このようにして、ニット生地１０ａと織物生地２０ａとを一体化させた繊維製品１００が得られる。
【００１９】
以上、ニット生地と織物生地とを一体化させる場合における本発明の好適な実施例を説明した。なお、図１乃至８において、フェルティングニードル４０は一本のみ示しているが、複数であってもよい。また、ニット生地と織物生地とは同じ大きさであってもよいが、本発明は両者の境界部分を段階的に変化させ一体化させるものであるから、ニット生地と織物生地とを積層させる際には、ニット生地のフェルト領域の端部と織物生地の端部とが揃わないように配置する。
【００２０】
さらに、前述の実施例においては１枚のニット生地と１枚の織物生地を一体化させたが、本発明の他の実施例では、例えば図８に示す繊維製品１００において、織物生地２０ａのニット生地１０ａ側とは逆の端部で織物生地２０ａ上に別のニット生地を一体化させる工程を追加的に行ってもよい。その場合、織物生地２０ａがさらに織物領域、境界領域、フェルト領域、ニット領域の順に段階的に別のニット生地に変化するような繊維製品とすることが可能である。すなわち、全体として２枚のニット生地と１枚の織物生地とからなる繊維製品を作製することができる。
【００２１】
また、図１乃至８においてはニット生地と織物生地との境界がニット生地の編目の方向と垂直になるよう一体化させた場合が示されているが、２つの生地は編目の方向に関係なく積層させ一体化させることができる。
【００２２】
本発明の他の実施例においては、前述したように、織物生地の代わりに不織布や起毛を有する皮革とニット生地とを一体化させることも可能である。起毛を有する皮革を用いる場合には、ニット生地をフェルト化する工程を行った後、このニット生地を皮革の起毛表面上に載置し、ニードルパンチの工程を実施してニット生地の繊維と皮革の起毛とを交絡させ一体化させる。ニット生地と起毛を有する皮革とは同色のものを用いることにより、境目を不明確にして両者を自然に一体化させることができる。
【００２３】
なお、起毛表面を有さない皮革とニット生地とを重ねてニードルパンチを施した場合には、両者を一体化させることは可能であるものの、交絡させた繊維を用いて境界部分をぼかす処理をすることができない。そのため、皮革表面にフェルティングニードルの貫通孔が残ってしまうので、このような皮革を用いることは好ましくない。
【産業上の利用可能性】
【００２４】
本発明は衣服のみならず、様々な用途に適宜用いることができる。例えば、ソファの張地や壁紙として使用することにより、高い芸術性を備えた家具等のインテリア用品を提供することが可能である。
【図面の簡単な説明】
【００２５】
【図１】（Ａ）は本発明による繊維製品の製造方法の一工程を説明する図、（Ｂ）はその断面図。
【図２】（Ａ）は本発明による繊維製品の製造方法の一工程を説明する図、（Ｂ）はその断面図。
【図３】（Ａ）は本発明による繊維製品の製造方法の一工程を説明する図、（Ｂ）はその断面図。
【図４】（Ａ）は本発明による繊維製品の製造方法の一工程を説明する図、（Ｂ）はその断面図。
【図５】（Ａ）は本発明による繊維製品の製造方法の一工程を説明する図、（Ｂ）はその断面図。
【図６】（Ａ）は本発明による繊維製品の製造方法の一工程を説明する図、（Ｂ）はその断面図。
【図７】（Ａ）は本発明による繊維製品の製造方法の一工程を説明する図、（Ｂ）はその断面図。
【図８】（Ａ）は本発明による繊維製品の製造方法の一工程を説明する図、（Ｂ）はその断面図。
【図９】本発明による繊維製品の製造において用いられるフェルティングニードルを示す図。
【符号の説明】
【００２６】
１０ａ、１０ｂ  ニット素材
２０ａ、２０ｂ  布帛
３０  フェルト部
４０  フェルティングニードル
５０  繊維
６０  混合繊維
１００  一体化させた繊維製品
１０１  ニット領域
１０２  フェルト領域
１０３  境界領域
１０４  織物領域
【図１】
2008156759.tif 000003
【図２】
2008156759.tif 000004
【図３】
2008156759.tif 000005
【図４】
2008156759.tif 000006
【図５】
2008156759.tif 000007
【図６】
2008156759.tif 000008
【図７】
2008156759.tif 000009
【図８】
2008156759.tif 000010
【図９】
2008156759.tif 000011